(57)【要約】【課題】導電線の異常で温度が上昇し安全な範囲を超過したとき、感温変色インクの色変化で導電線の絶縁層の色を変化させ、使用者に対して警告作用を形成し、使用時に空間を占用せず、コストが低い、導電線の作業温度異常の監視制御方法を提供する。【解決手段】導電線１の絶縁層１１の外縁を感温変色インク２で覆う。導電線１の作業温度変化を利用し、感温変色インク２に色の変化を起こさせ、警告作用を形成する。【選択図】図１
2008046842.tif 000002
【特許請求の範囲】
【請求項１】
導電線の絶縁層外縁を感温変色インクで覆い、前記導電線の作業温度変化を利用して前記感温変色インクに色変化を起こさせることで、警告作用を形成することを特徴とする導電線の作業温度異常の監視方法。
【請求項２】
前記絶縁層外縁を被覆する前記感温変色インクが臨界変色温度を有し、作業温度が前記臨界変色温度に達するかまたはこれを超過すると、前記感温変色インクが透明になることを特徴とする請求項１に記載の導電線の作業温度異常の監視方法。
【請求項３】
前記絶縁層外縁を被服する感温変色インクが少なくとも一層以上設けられ、各層の感温変色インクの色が異なり、且つ、その臨界変色温度が内層から外層へ順に低くなるようにしたことを特徴とする請求項１に記載の導電線の作業温度異常の監視方法。
【請求項４】
導電線の絶縁層上に異なる色の区分エリアを設け、且つ、前記異なる区分エリアに対応して異なる臨界変色温度の感温変色インクで前記区分エリアをそれぞれ覆い、前記導電線の作業温度変化を利用して対応する前記感温変色インクに色変化を起こさせ、警告作用を形成することを特徴とする導電線の作業温度異常の監視方法。
【請求項５】
導電線の絶縁層内に感温変色インクを混入し、前記導電線の作業温度変化を利用して前記感温変色インクに前記導電線の絶縁層の色を変化させ、警告作用を形成することを特徴とする導電線の作業温度異常の監視方法。
【発明の詳細な説明】
【技術分野】
【０００１】
本発明は、導電線の作業温度異常の監視方法に関し、詳細には、導電線の絶縁層に感温変色インクを混入するか、或いは絶縁層を感温変色インクで覆い、導電線の作業温度に異常な変化が現れると、その外観色が変化し、警告作用を形成するようにした導電線の作業温度異常の監視方法に関する。
【背景技術】
【０００２】
現在一般的に使用されている導電線は、その通電後の作業温度が継続して上昇し、特に、導電線の局部的破損で接触不良や過負荷等の異常な状況が現れると、その作業温度が急速に上昇し、火災を起こしやすくなり、生命や財産の安全に対する脅威となる。このため、導電線は使用上潜在的な危険性がある。また、電子装置を利用して電源線の負荷異常を警告する「電源線負荷量用の温度センサ」が、台湾実用新案第２６５７２４号として提案されている（特許文献１）。
【０００３】
【特許文献１】台湾実用新案第２６５７２４号
【発明の開示】
【発明が解決しようとする課題】
【０００４】
上記特許文献１に開示される「電源線負荷量用の温度センサ」は、その体積が大きく、使用時に一定の空間を占用してしまい、且つ、コストもやや高いという問題がある。
【０００５】
そこで、本発明はこれに鑑みてなされたもので、その目的は、導電線の異常で温度が上昇し安全な範囲を超過したとき、感温変色インクの色変化で導電線の絶縁層の色を変化させ、使用者に対して警告作用を形成し、使用上の安全確保と危険の発生防止を促し、また使用時に空間を占用せず、コストが低い導電線の作業温度異常の監視方法を提供することにある。
【課題を解決するための手段】
【０００６】
請求項１に係る導電線の作業温度異常の監視方法は、上記課題を解決するために、導電線の絶縁層外縁を感温変色インクで覆い、前記導電線の作業温度変化を利用して前記感温変色インクに色変化を起こさせることで、警告作用を形成することを特徴とする。
【０００７】
請求項２に係る導電線の作業温度異常の監視方法は、請求項１に係る導電線の作業温度異常の監視方法において、前記絶縁層外縁を被覆する前記感温変色インクが臨界変色温度を有し、作業温度が前記臨界変色温度に達するかまたはこれを超過すると、前記感温変色インクが透明になることを特徴とするものである。
【０００８】
請求項３に係る導電線の作業温度異常の監視方法は、請求項１に係る導電線の作業温度異常の監視方法において、前記絶縁層外縁を被服する感温変色インクが少なくとも一層以上設けられ、各層の感温変色インクの色が異なり、且つ、その臨界変色温度が内層から外層へ順に低くなるようにしたことを特徴とするものである。
【０００９】
請求項４に係る導電線の作業温度異常の監視方法は、導電線の絶縁層上に異なる色の区分エリアを設け、且つ、前記異なる区分エリアに対応して異なる臨界変色温度の感温変色インクで前記区分エリアをそれぞれ覆い、前記導電線の作業温度変化を利用して対応する前記感温変色インクに色変化を起こさせ、警告作用を形成することを特徴とするものである。
【００１０】
また、請求項５に係る導電線の作業温度異常の監視方法は、導電線の絶縁層内に感温変色インクを混入し、前記導電線の作業温度変化を利用して前記感温変色インクに前記導電線の絶縁層の色を変化させ、警告作用を形成することを特徴とするものである。
【００１１】
上記感温変色インクは絶縁層上に印刷することができる。また、上記感温変色インクは絶縁層上に噴き付けることができる。さらに、上記感温変色インクは絶縁層上に塗布することができる。上記絶縁層は、感温変色インク内に浸漬させ、感温変色インクをその上に付着させることができる。
【発明の効果】
【００１２】
本発明の導電線導電線の作業温度異常の監視方法によれば、導電線の絶縁層を感温変色インクで覆うか、絶縁層に感温変色インクを混入し、導電線に異常が発生して温度が上昇し安全な範囲を超過すると、感温変色インクが色の変化を起こし、導電線の絶縁層の色を変化させ、警告作用を形成するので、使用者が迅速に適切な処置を取って使用上の安全を確保できるようにすることができる。また、使用時に大きな空間を占用することがない。コストが低く、容易に使用でき、正確に作業温度を反映することができる。
【００１３】
導電線上に異なる色の区分エリアを設けてもよく、これら区分エリアを対応する異なる臨界変色温度を有する感温変色インクで覆い、導電線の作業温度変化を利用して対応する感温変色インクに段階的な色の変化を起こさせ、低から高への「段階式警告」効果を有する。
【発明を実施するための最良の形態】
【００１４】
以下、本発明の実施の形態を図面に基いて詳細に説明する。図１は、第１実施形態に係る導電線の断面図である。図１に示すように、第１実施形態の導電線１は、導電線１の外縁に色を備えた絶縁層１１を設け、且つ、前記絶縁層１１の外縁を異なる色の感温変色インク２で覆い、前記感温変色インク２は絶縁層１１上に印刷され、臨界変色温度を有し、作業温度がこの臨界変色温度に達するまたはこれを超えると、感温変色インク２が透明になる。
【００１５】
使用時には、導電線１に通電を開始すると（図２参照）、その作業温度が上昇し、作業温度が異常により感温変色インク２の臨界変色温度に達するかまたはこれを超えると、感温変色インク２に色変化が発生して透明になり、感温変色インク２の下の絶縁層１１の色が現われ、使用者に導電線１の色の変化を気付かせて警告作用を生むことができる。
【００１６】
また、導電線１が不適切に湾曲され（図３参照）、その内部に断裂が発生して接触不良を起こした場合には、使用時に導電線１のその個所の温度が迅速に上昇する。導電線１のその個所が温度上昇して感温変色インク２の臨界変色温度に達するかまたはこれを超過すると、この区域の感温変色インク２が色変化を起こして透明になり、この個所の感温変色インク２の下の絶縁層１１の色が現われ、使用者に導電線１の色の変化を気付かせて警告作用を生むことができる。
【００１７】
次に、本発明の第２実施形態を説明する。第２実施形態の導電線１は、図４に示すように、導電線１の絶縁層１１上に緑色エリア３Ａ、黄色エリア３Ｂ、赤色エリア３Ｃを設け、緑色エリア３Ａ、黄色エリア３Ｂ、赤色エリア３Ｃにそれぞれ対応して、第１臨界変色温度を有する第１感温変色インク４Ａ、第２臨界変色温度を有する第２感温変色インク４Ｂ、第３臨界変色温度を有する第３感温変色インク４Ｃで被覆する。また、第１臨界変色温度は第２臨界変色温度より低く、第２臨界変色温度は第３臨界変色温度より低いものとする。
【００１８】
導電線１が通電されると、その作業温度が上昇を開始し、作業温度が第１臨界変色温度に到達またはこれより高くなり、但し第２臨界変色温度より低いとき、第１感温変色インク４Ａが透明になり（図５参照）、第１感温変色インク４Ａ下の緑色エリア３Ａが現れる。作業温度が第２臨界変色温度に到達またはこれより高くなり、但し第３臨界変色温度より低いとき、緑色エリア３Ａの第１感温変色インク４Ａは透明を維持し、且つ、黄色エリア３Ｂの第２感温変色インク４Ｂも透明になる。さらに作業温度が第３臨界変色温度に到達またはこれより高くなると、第１感温変色インク４Ａ、第２感温変色インク４Ｂ、第３感温変色インク４Ｃのすべてが透明になり、即ち、緑色エリア３Ａ、黄色エリア３Ｂ、赤色エリア３Ｃのすべてが現れて視認される。これにより、緑色エリア３Ａ、黄色エリア３Ｂ、赤色エリア３Ｃが異なる作業温度で順に現れ、導電線１に「作業温度の段階的警告」効果を持たせることができる。
【００１９】
次に、本発明の第３実施形態を説明する。第３実施形態の導電線１は、図６に示すように、導電線５の絶縁層５１内に有色の感温変色インク６を混入してある。そして、使用時、導電線５の作業温度が感温変色インク６の臨界変色温度に到達またはこれを超過すると、感温変色インク６が色の変化を起こして透明になり（図７参照）、絶縁層５１の色を変化させて警告作用を生むことができる。
【図面の簡単な説明】
【００２０】
【図１】第１実施形態に係る導電線の断面図である。
【図２】図１の導電線の感温変色インクの変色を示す断面図である。
【図３】図１の導電線の使用時の状態を示す外観図及び部分拡大断面図である。
【図４】本発明の第２実施形態（異なる変色臨海温度の感温変色インクをエリア分けして被覆）に係る導電線の断面図である。
【図５】図４の導電線において第１感温変色インクが透明になった状態を示す断面図である。
【図６】本考案の第３実施形態に係る導電線の断面図である。
【図７】図６の導電線の感温変色インクの変色を示す断面図である。
【符号の説明】
【００２１】
１  導電線
１１  絶縁層
２  感温変色インク
３Ａ  緑色エリア
３Ｂ  黄色エリア
３Ｃ  赤色エリア
４Ａ  第１感温変色インク
４Ｂ  第２感温変色インク
４Ｃ  第３感温変色インク
５  導電線
５１  絶縁層
６  感温変色インク
【図１】
2008046842.tif 000003
【図２】
2008046842.tif 000004
【図３】
2008046842.tif 000005
【図４】
2008046842.tif 000006
【図５】
2008046842.tif 000007
【図６】
2008046842.tif 000008
【図７】
2008046842.tif 000009